(57)【要約】【課題】製造コストを削減し、且つ内ページを外す時、スムーズに外れ、穿孔に傷がつけないルーズリーフ式バインダーの挟着構造を提供する。【解決手段】ルーズリーフ式バインダーの挟着構造は、プラスチックで作られたルーズリーフ式バインダーにおいて、内ページ４０を挟着するリングを挟着部位本体から引き出すことにより、ルーズリーフ式バインダーが一体成型される。その構造は、主にルーズリーフ式バインダーの挟着部位を設定した間隔でプレスによってリング片３４を切り出し、この挟着部位の設定間隔は任意に調整する。隣り合うリング片間の範囲には挟着部位の中央から縦に切り、リング片の同じ規格の結合板片を重置して結合する。すると、リング片は湾曲され、円弧状リング及び幅の異なるリング３６となる。内ページ３０の円弧形Ｔ型隙間槽４１をリング内に入れ、ページめくりや内ページ４０を外す際にスムーズにする。【選択図】　　　　図７
0003098359.tif 000002
【実用新案登録請求の範囲】
【請求項１】
主にプラスチックで作られ、このルーズリーフ式バインダーの中間部位は折り線によって挟着部位が仕切られ、その挟着部位に設置された挟着構造によって内ページが綴じられるルーズリーフ式バインダーにおいて、
このルーズリーフ式バインダーの挟着部位は、予め設定した幅間隔をプレスによって切込を入れ、その間隔の小さい方の隣り合う間がリング片を構成し、また隣り合うリング片間の範囲は挟着部位中央箇所を縦に切り、リング片間が同じ規格の結合板片を重置して結合し一体にすると、リング片が湾曲されて円弧状リングになるもので、ルーズリーフ式バインダーの内ページを綴じるリングを挟着部位本体から引き出し、ルーズリーフ式バインダーと一体成型されることを特徴とするルーズリーフ式バインダーの挟着構造。
【請求項２】
前記ルーズリーフ式バインダーの挟着部位は、予め設定した異なる幅をプレスによって切込を入れ、その間隔の小さい方の隣り合う切込間がリング片を構成し、また隣り合うリング片間の範囲は、挟着部位の三分の二の箇所を縦に切り、リング片間の大と小に切られた結合板片を重置して結合し、溶接によって一体にすると、リング片は湾曲され幅広の円弧状リングが成形されることを特徴とする請求項１記載のルーズリーフ式バインダーの挟着構造。
【請求項３】
前記ルーズリーフ式バインダーの挟着部位は、予め設定した異なる幅をプレスによって切込を入れ、その間隔の小さい方の隣り合う切込間がリング片を構成し、また隣り合うリング片間の範囲は、挟着部位の任意箇所を縦に切り、リング片間の大と小に切られた結合板片を重置して結合し、溶接によって一体にすると、リング片は湾曲され幅広の円弧状リングが成形されることを特徴とする請求項１記載のルーズリーフ式バインダーの挟着構造。
【考案の詳細な説明】
【０００１】
【考案の属する技術分野】
本考案は、ルーズリーフ式バインダーの挟着構造に関するもので、プラスチック製のルーズリーフ式バインダーの成形に関し、内ページを挟着するリングとルーズリーフ式バインダーを一体成型することによって、製造コストを削減し、且つ内ページを外す時、スムーズに外れ、穿孔に傷をつけないものである。
【０００２】
【従来の技術】
今日、市場で見かけるバネ型冊子（例としてノート）は、通常螺旋状の丸型棒を巻きつけて装丁するが、この作業は手間がかかり、且つ冊子内のページを自在に取外すことができない。そのため、新しい装丁構造が作られている。図１から図３に示すとおり、主に冊子の表紙１０及び内ページ１２の装丁側に複数の独立した穿孔１３を設置し、これらの穿孔１３に複数の円盤部品１４を差込み、嵌合して装丁する。その円盤部品１４の位置限定によって、表紙１０及び内ページ１２がめくれるようになる。
この円盤部品１４の円形環縁部位１４１の末端部位１４２、１４３には平削り処理が施されるため（環縁部位全体の広さが減少もしくは縮小される）、その環縁部位１４１の内接触面１４４、１４５と冊子内ページ１２の穿孔１３間は、接触面が小さくなり、このため、内ページ１２をめくる過程で、穿孔１３が円盤部品１４から脱落しやすい。
別に図４から図６に示す別の公知二の技術として、その円盤部品２４の環縁部位２４１を円弧形面に成形し、その円弧形面の環円弧末端に点状部位２４２、２４３が形成される。また冊子表紙２０及び内ページの穿孔２３の頚部近くに円弧形状開口２３１が成形される。これによって、内ページ２のページをめくる過程で、内ページの穿孔２３と円盤部品２４間に点状の接触及び摩擦が起こり、ページをスムーズにめくることが困難になる。
【０００３】
【考案が解決しようとする課題】
本考案は、上述の問題を改善し、製造コストを削減し、且つ内ページを外す時、スムーズに外れ、穿孔に傷をつけないルーズリーフ式バインダーの挟着構造を提供することを課題とする。
【０００４】
【課題を解決するための手段】
上記課題を解決するため、本考案のルーズリーフ式バインダーの挟着構造は、プラスチックで作られたルーズリーフ式バインダーにおいて、内ページを挟着するリングを挟着部位本体から引き出すことにより、ルーズリーフ式バインダーが一体成型される。その構造は、主にルーズリーフ式バインダーの挟着部位を設定した間隔でプレスによってリング片を切り出し、この挟着部位の設定間隔は任意に調整する。隣り合うリング片間の範囲には挟着部位の中央から縦に切り、リング片の同じ規格の結合板片を重置して結合する。すると、リング片は湾曲され、円弧状リング及び幅の異なるリングとなる。内ページの円弧形Ｔ型隙間槽をリング内に入れ、ページめくりや内ページを外す際にスムーズにすることを特徴とするものである。
すなわち、本考案のルーズリーフ式バインダーの挟着構造は、以下に述べる特徴を有する。
１．主にプラスチックで作られ、このルーズリーフ式バインダーの中間部位は折り線によって挟着部位が仕切られ、その挟着部位に設置された挟着構造によって内ページが綴じられるルーズリーフ式バインダーにおいて、
このルーズリーフ式バインダーの挟着部位は、予め設定した幅間隔をプレスによって切込を入れ、その間隔の小さい方の隣り合う間がリング片を構成し、また隣り合うリング片間の範囲は挟着部位中央箇所を縦に切り、リング片間が同じ規格の結合板片を重置して結合し一体にすると、リング片が湾曲されて円弧状リングになるもので、ルーズリーフ式バインダーの内ページを綴じるリングを挟着部位本体から引き出し、ルーズリーフ式バインダーと一体成型されることを特徴とする。
２．前記ルーズリーフ式バインダーの挟着部位は、予め設定した異なる幅をプレスによって切込を入れ、その間隔の小さい方の隣り合う切込間がリング片を構成し、また隣り合うリング片間の範囲は、挟着部位の三分の二の箇所を縦に切り、リング片間の大と小に切られた結合板片を重置して結合し、溶接によって一体にすると、リング片は湾曲され幅広の円弧状リングが成形されることを特徴とする。
３．前記ルーズリーフ式バインダーの挟着部位は、予め設定した異なる幅をプレスによって切込を入れ、その間隔の小さい方の隣り合う切込間がリング片を構成し、また隣り合うリング片間の範囲は、挟着部位の任意箇所を縦に切り、リング片間の大と小に切られた結合板片を重置して結合し、溶接によって一体にすると、リング片は湾曲され幅広の円弧状リングが成形されることを特徴とする請求項１記載のルーズリーフ式バインダーの挟着構造。
【０００５】
【考案の実施の形態】
以下、本考案ルーズリーフ式バインダーの挟着構造の実施例を図面に基づいて説明する。
先ず、図７から図１１が示すように、本考案は、主にプラスチック材で作られたルーズリーフ式バインダーの表紙３０を用い、表紙３０中間部位には折線３１、３１´によって挟着部位３２が形成される。その挟着部位３２には予め設定した異なる間隔に基づき、複数の切込３３、３３´が成形され、この挟着部位３２の設定間隔は、任意に調整し、異なる間隔とする。その間隔が小さい方の隣合う切込３３、３３´間によって本考案のリング片３４が形成される。そして隣合うリング片３４、３４´間は、挟着部位３２の中央から縦割りに切られ、二枚の結合板片３５，３５´が成形される。そしてリング片３４間の二枚の結合板片３５、３５´を重ね合わせた後、高周波もしくは熱溶接機等の設備で一体に結合する。すると、これらのリング片３４が湾曲して円弧状のリング３６、３６´になる。また挟着部位３２を正中央から切り、二枚の結合板片３５、３５´が構成され、この二枚の結合板片３５、３５´を重ね合わせる。この時、図１２に示すように、二枚の結合板片３６、３６´は相互に交換できる。これらを高周波もしくは熱溶接機等設備で溶接結合して一体にすると、これらリング片３４が折り曲げられて円弧状リング３６、３６´になり、本考案のルーズリーフ式バインダーの挟着構造が完成する。
【０００６】
本考案のルーズリーフ式バインダーの挟着構造を使用するのに、紙、資料袋もしくはアルバム紙などの内ページ４０は、結合側に円弧形Ｔ型隙間槽４１を成形する。その横向入口４２の隙間と円弧状リング３６の厚みを同じにする。また縦向き通孔４３のサイズは円弧状リング３６の幅よりやや大きくし、内ページ４０を適する柔らかさにすることによって、横向入口４２はスムーズに円弧状リング３６に入り、容易に脱落することがない。この縦向き通孔４３に程よいゆとりを与えることにより、内ページ４０のページめくりがスムーズに進み、内ページ４０を外す時には横向入口４２の成形と内ページ自身の柔軟度により、内ページ４０を少々引っ張るだけで簡単に円弧状リング３６から外れ、且つ引っ張った痕が残らない（図１３、１４参照）。
【０００７】
本考案ルーズリーフ式バインダーの挟着構造の成型製造について、螺旋状丸型棒や金属挟みや円盤部品等、別の部品は必要なく、ルーズリーフ式バインダーの挟着部位３２に適するプレス及び必要な重置結合を実施するだけよく、本素材を生かし、挟着部位３２に内ページ４０を挟むのに必要な円弧状リング３６を一体成型する構造で、これによって材料コストの節約ができるだけでなく、更にはプレス及び溶接の技術と設備はすでに進歩しているため、製造は簡単で、製造コストを減らすこともできる。また内ページ４０の円弧形Ｔ型隙間槽４１の設置により、ページをめくることや内ページ４０を増やすことが便利になる。更に綴込み構造が切れるようなこともなく、便利性と実用性を兼ね備える。
【０００８】
ルーズリーフ式バインダーの挟着部位にプレス及び重置結合を実施して一体になった円弧状リング３６と、その内ページ４０の挟着側に予め設置された円状形Ｔ型隙間槽４１を合わせることによって、簡単な挟着機能が生まれる。その内ページ４０のページめくり及び内ページ４０の増減機能は、製造時にルーズリーフ式バインダーの円弧状リング３６の数を変更することができる。別に一般のノートとして利用する場合、その円弧状リング３６の数は多く、且つ密集して設置した方がよい。またアルバムの内ページの場合には、円弧状リング３６は少ないほうがよい。その間隔の規格には、一般に三孔、四孔もしくは五孔の間隔がある。図１５から１８に示すとおり、本考案の別の実施例として、資料袋を設置する場合、その円弧状リング３６の幅は適度に広げる。表紙５０中間部に折線５１、５１´を成形して、挟着部位５２を形成する。その挟着部位５２は予め設定した異なる幅間隔で切込５３、５３´を入れ、間隔の小さい方の切込５３、５３´間が本考案のリング片５４、５４´として構成される。隣り合うリング片５４、５４´間の範囲を挟着部位５２の三分の二の箇所から縦方向に切り、二枚の結合板片５５、５５´を成形する。そしてリング片５４、５４´間の二枚の結合板片５５、５５´を重合し、高周波もしくは熱溶接機などの設備で結合して一体にすると、これらリング片５４、５４´が湾曲されて幅広の円弧状リング５６、５６´になる。更に挟着部位５２から三分の二の箇所に縦方向に切り、二枚の結合板片５５、５５´にする。この時、図１９に示すとおり、二枚の結合板片５５、５５´の重置位置は相互に交換することができ、高周波もしくは熱溶接機等の設備で結合して一体にすると、これらのリング片５４、５４´は円弧状リング５６、５６´に湾曲され、本考案ルーズリーフ式バインダーの製造が完成する。
【０００９】
図２０から図２２に示すのは、本考案と内ページ４０を合わせ、別の幅広円弧状リング５６、５６´に装飾片５７を設置した実施例図である。図２３は、本考案と内ページ４０を合わせ、別の幅広円弧状リング５６、５６´を使用し、装飾片５７を貼り付けた別の実施例図である。この時、二枚の結合板片５５、５５´の重置位置を相互に交換することができ、更に高周波もしくは熱溶接機等の設備で結合して一体にすると、これらリング片５４、５４´は円弧状リング５６、５６´に湾曲されて本考案のルーズリーフ式バインダーの製造が完成する。
【００１０】
図２４から図２６に示すのは、本考案はリング３６の幅を広げたの実施例図で、挟着部位５２から三分の二の箇所に縦方向に切り、二枚の結合板片５５、５５´にする。この二枚の結合板片５５、５５´は図に示すとおり、重置後、高周波もしくは熱溶接機等の設備によって溶接して一体にすると、これらリング片５４、５４´が湾曲されて幅広の円弧状リング５６、５６´になる。そのうち、結合板片５５´はすでに装飾されているため、更に別の装飾を加える必要がない。図２７は、使用者の実際の必要に応じ、各自二枚の結合板片５５、５５´の裁断を調節し、重合し、高周波もしくは熱溶接機などの設備によって結合して一体にしたものである。図２８、２９は、内ページ４０に更に別の幅広リング５６、５６´を設置し、装飾片を設置しない実施例図である。また隣り合うリング片５４間の区域から、挟着部位５２で任意の箇所に縦方向に切り、リング片５４、５４´間には異なる規格の二枚の結合板片５５、５５´を重ねて結合し、高周波もしくは熱溶接機等の設備で結合して一体にする。
【００１１】
図３０から図３２に示すとおり、本考案は各種内ページ４０１、４０２、４０３を設置することができ、使用者が選択する。この構造によって、業者は利用者によって、異なる規格でルーズリーフ式バインダーを製造することができ、利用範囲が広がる。更にリング３６構造は、ルーズリーフ式バインダー本体の材質と同じもので製造されるので、同じでない規格のルーズリーフ式バインダー構造を製造する時、その設備を調整するだけでよい。
【００１２】
【考案の効果】
以上説明したように、本考案のルーズリーフ式バインダーの挟着構造は、プラスチックで作られたルーズリーフ式バインダーにおいて、内ページを挟着するリングを挟着部位本体から引き出すことにより、ルーズリーフ式バインダーが一体成型される。その構造は、主にルーズリーフ式バインダーの挟着部位を設定した間隔でプレスによってリング片を切り出し、この挟着部位の設定間隔は任意に調整する。隣り合うリング片間の範囲には挟着部位の中央から縦に切り、リング片の同じ規格の結合板片を重置して結合する。すると、リング片は湾曲され、円弧状リング及び幅の異なるリングとなる。内ページの円弧形Ｔ型隙間槽をリング内に入れ、ページめくりや内ページを外す際にスムーズにするという特徴をもつ。それにより、製造コストを削減し、且つ内ページを外す時、スムーズに外れ、穿孔の保護に効果的である。
【図面の簡単な説明】
【図１】公知一のルーズリーフ式冊子の構造外観指示図である。
【図２】公知一のルーズリーフ式冊子装丁構造断面指示図である。
【図３】公知一のルーズリーフ式冊子装丁構造断面関係指示図である。
【図４】公知二のルーズリーフ式冊子構造外観指示図である。
【図５】公知二のルーズリーフ式装丁構造の断面関係指示図である。
【図６】公知二のルーズリーフ式冊子装丁構造の関係指示図である。
【図７】本考案のルーズリーフ式バインダーの挟着構造指示図である。
【図８】本考案の局部構造関係指示図一である。
【図９】本考案の局部構造関係指示図二である。
【図１０】本考案の局部構造関係指示図三である。
【図１１】本考案の局部構造関係指示図四である。
【図１２】本考案の局部構造関係、別の実施例指示図である。
【図１３】本考案と内ページを合わせて使用した実施例指示図一である。
【図１４】本考案と内ページを合わせて使用した実施例指示図二である。
【図１５】本考案別リング、幅広の実施例指示図一である。
【図１６】本考案別リング、幅広の実施例指示図二である。
【図１７】本考案別リング、幅広の実施例指示図三である。
【図１８】本考案別リング、幅広の断面指示図である。
【図１９】本考案別リング、幅広の別実施例断面指示図である。
【図２０】本考案と内ページを合わせ、別の幅広リングには装飾片を設置した実施例指示図一である。
【図２１】本考案と内ページを合わせ、別の幅広リングには装飾片を設置した実施例指示図二である。
【図２２】本考案と内ページを合わせ、別の幅広リングに装飾片を設置した断面指示図である。
【図２３】本考案と内ページを合わせ、別の幅広リングに装飾片を設置した別の実施例指示図である。
【図２４】本考案の更に別の幅広リング実施例指示図一である。
【図２５】本考案の更に別の幅広リング実施例指示図二である。
【図２６】本考案の更に別の幅広リング別実施例断面指示図である。
【図２７】本考案の別の幅広リング別実施例断面指示図である。
【図２８】本考案と内ページを合わせ、更に別の幅広リングに装飾片を設置した実施例指示図一である。
【図２９】本考案と内ページを合わせ、更に別の幅広リングに装飾片を設置した実施例指示図二である。
【図３０】本考案に各種内ページを合わせた実施例指示図一である。
【図３１】本考案に各種内ページを合わせた実施例指示図二である。
【図３２】本考案に各種内ページを合わせた実施例指示図三である。
【符号の説明】
１０　　表紙
１２　　内ページ
１３　　穿孔
１４　　円盤部品
１４１　　環縁部位
１４２　　末端部位
１４３　　末端部位
１４４　　内接触面
１４５　　内接触面
２０　　表紙
２２　　内ページ
２３　　穿孔
２３１　　円弧形状開口
２４　　円盤部品
２４１　　環縁部位
２４２　　点状部位
２４３　　点状部位
３０　　表紙
３１　　折線
３１´　折線
３２　　バインダー部位
３３　　槽
３３´　槽
３４　　リング片
３４´　リング片
３５　　結合板片
３５´　結合板片
３６　　リング
３６´　リング
４０　　内ページ
４０１　　内ページ
４０２　　内ページ
４０３　　内ページ
４１　　円弧形Ｔ型隙間槽
４２　　横向入口
４３　　縦向き通孔
５０　　表紙
５１　　折線
５１´　折線
５２　　挟着部位
５３　　切込
５３´　切込
５４　　リング片
５４´　リング片
５５　　結合板片
５５´　結合板片
５６　　リング
５６´　リング
５７　　装飾片
【図１】
0003098359.tif 000003
【図２】
0003098359.tif 000004
【図３】
0003098359.tif 000005
【図４】
0003098359.tif 000006
【図５】
0003098359.tif 000007
【図６】
0003098359.tif 000008
【図７】
0003098359.tif 000009
【図８】
0003098359.tif 000010
【図９】
0003098359.tif 000011
【図１０】
0003098359.tif 000012
【図１１】
0003098359.tif 000013
【図１２】
0003098359.tif 000014
【図１３】
0003098359.tif 000015
【図１４】
0003098359.tif 000016
【図１５】
0003098359.tif 000017
【図１６】
0003098359.tif 000018
【図１７】
0003098359.tif 000019
【図１８】
0003098359.tif 000020
【図１９】
0003098359.tif 000021
【図２０】
0003098359.tif 000022
【図２１】
0003098359.tif 000023
【図２２】
0003098359.tif 000024
【図２３】
0003098359.tif 000025
【図２４】
0003098359.tif 000026
【図２５】
0003098359.tif 000027
【図２６】
0003098359.tif 000028
【図２７】
0003098359.tif 000029
【図２８】
0003098359.tif 000030
【図２９】
0003098359.tif 000031
【図３０】
0003098359.tif 000032
【図３１】
0003098359.tif 000033
【図３２】
0003098359.tif 000034